【手続補正書】
【提出日】平成18年9月15日(2006.9.15)
【手続補正１】
【補正対象書類名】明細書
【補正対象項目名】特許請求の範囲
【補正方法】変更
【補正の内容】
【特許請求の範囲】
【請求項１】  登録者毎に外見上の特徴量を記憶した記憶部と、
撮影装置により撮影した画像を処理して外見上の特徴量を抽出するとともに、ここで抽出した外見上の特徴量と前記記憶部に記憶している登録者の外見上の特徴量とに基づいて、撮影された者を識別する識別処理を行う制御部と、を備えた個人識別装置であって、
前記制御部は、前記撮影装置が適当な時間間隔で撮影した複数の画像を用いて、人間を撮影したかどうかを判定する撮影対象判定処理を実行し、この撮影対象判定処理で人間を撮影していないと判定した場合に、前記識別処理を中止する個人識別装置。
【請求項２】  前記撮影対象判定処理は、前記撮影装置が適当な時間間隔で撮影した複数の画像から顔部品の動きの有無を検出し、顔部品の動きが検出されなかった場合に人間を撮影していないと判定する処理である、請求項１に記載の個人識別装置。
【請求項３】  前記撮影対象判定処理は、前記撮影装置が適当な時間間隔で撮影した複数の画像から顔の向きの変化の有無を検出し、顔の向きの変化が検出されなかった場合に人間を撮影していないと判定する処理である、請求項１に記載の個人識別装置。
【請求項４】  前記撮影装置の撮影領域の背景を変更する背景変更手段を備え、
前記前記撮影対象判定処理は、前記背景変更手段により背景を異ならせて撮影した複数の画像を用いて、人間を撮影したかどうかを判定する処理である、請求項１に記載の個人識別装置。 
【請求項５】  登録者毎に外見上の特徴量を記憶した記憶部と、
撮影装置により撮影した画像を処理して外見上の特徴量を抽出するとともに、ここで抽出した外見上の特徴量と前記記憶部に記憶している登録者の外見上の特徴量とに基づいて、撮影された者を識別する識別処理を行う制御部と、を備えた個人識別装置であって、
前記制御部は、前記撮影装置の撮影領域を照明で照らして撮影した撮影画像の陰影に基づいて、前記撮影装置が人間を撮影したかどうかを判定する撮影対象判定処理を実行し、この撮影対象判定処理で人間を撮影していないと判定した場合に、前記識別処理を中止する個人識別装置。
【請求項６】  登録者毎に外見上の特徴量を記憶した記憶部と、
撮影装置により撮影した画像を処理して外見上の特徴量を抽出するとともに、ここで抽出した外見上の特徴量と前記記憶部に記憶している登録者の外見上の特徴量とに基づいて、撮影された者を識別する識別処理を行う制御部と、を備えた個人識別装置であって、
前記撮影装置の撮影領域の温度分布を計測する温度計測手段を備え、
前記制御部は、前記温度計測手段により計測された前記撮影領域の温度分布に基づいて、前記撮影装置が人間を撮影したかどうかを判定する撮影対象判定処理を実行し、この撮影対象判定処理で人間を撮影していないと判定した場合に、前記識別処理を中止する個人識別装置。
【請求項７】  登録者毎に外見上の特徴量を記憶した記憶部と、
撮影装置により撮影した画像を処理して外見上の特徴量を抽出するとともに、ここで抽出した外見上の特徴量と前記記憶部に記憶している登録者の外見上の特徴量とに基づいて、撮影された者を識別する識別処理を行う制御部と、を備えた個人識別装置であって、
前記制御部は、前記撮影装置がピントをずらして撮影した撮影画像に基づいて、前記撮影装置が人間を撮影したかどうかを判定する撮影対象判定処理を実行し、この撮影対象判定処理で人間を撮影していないと判定した場合に、前記識別処理を中止する個人識別装置。
【請求項８】
登録者を識別する識別コードを入力する入力部を備え、
前記識別処理は、撮影された者が前記入力部において入力された識別コードで識別される登録者であるかどうかを識別する処理である請求項１〜７のいずれかに記載の個人識別装置。
【請求項９】  前記外見上の特徴量は、顔部品の形状に関する特徴量である請求項１〜８のいずれかに記載の個人識別装置。
【請求項１０】  撮影装置により撮影した画像を処理して外見上の特徴量を抽出するとともに、ここで抽出した外見上の特徴量と、記憶部が登録者毎に記憶する登録者の外見上の特徴量と、に基づいて、撮影された者を識別する識別処理を行う個人識別方法であって、
前記撮影装置が適当な時間間隔で撮影した複数の画像を用いて、人間を撮影したかどうかを判定する撮影対象判定処理を実行する第１のステップと、
前記第１のステップで実行した前記撮影対象判定処理で人間を撮影していないと判定した場合に、前記識別処理の実行を中止する第２のステップと、を有する個人識別装置。
【請求項１１】  前記第１のステップは、前記撮影対象判定処理として、前記撮影装置が適当な時間間隔で撮影した複数の画像から顔部品の動きの有無を検出し、顔部品の動きが検出されなかった場合に人間を撮影していないと判定する処理を実行する、請求項１０に記載の個人識別装置。
【請求項１２】  撮影装置により撮影した画像を処理して外見上の特徴量を抽出するとともに、ここで抽出した外見上の特徴量と、記憶部が登録者毎に記憶する登録者の外見上の特徴量と、に基づいて、撮影された者を識別する識別処理をコンピュータに実行させる個人識別プログラムを記録した記録媒体であって、
前記撮影装置が適当な時間間隔で撮影した複数の画像を用いて、人間を撮影したかどうかを判定する撮影対象判定処理を実行する第１のステップと、
前記第１のステップで実行した前記撮影対象判定処理で人間を撮影していないと判定した場合に、前記識別処理の実行を中止する第２のステップと、をコンピュータに実行させる個人識別プログラムを記録した記録媒体。
【請求項１３】  前記第１のステップは、前記撮影対象判定処理として、前記撮影装置が適当な時間間隔で撮影した複数の画像から顔部品の動きの有無を検出し、顔部品の動きが検出されなかった場合に人間を撮影していないと判定する処理を実行する、請求項１０に記載の個人識別プログラムを記録した記録媒体。
【手続補正２】
【補正対象書類名】明細書
【補正対象項目名】０００７
【補正方法】変更
【補正の内容】
【０００７】
【課題を解決するための手段】
この発明は、登録者毎に外見上の特徴量を記憶した記憶部と、
撮影装置により撮影した画像を処理して外見上の特徴量を抽出するとともに、ここで抽出した外見上の特徴量と前記記憶部に記憶している登録者の外見上の特徴量とに基づいて、撮影された者を識別する識別処理を行う制御部と、を備えた個人識別装置であって、
前記制御部は、前記撮影装置が適当な時間間隔で撮影した複数の画像を用いて、人間を撮影したかどうかを判定する撮影対象判定処理を実行し、この撮影対象判定処理で人間を撮影していないと判定した場合に、前記識別処理を中止する。
【手続補正３】
【補正対象書類名】明細書
【補正対象項目名】０００８
【補正方法】変更
【補正の内容】
【０００８】
また、この発明は、登録者毎に外見上の特徴量を記憶した記憶部と、
撮影装置により撮影した画像を処理して外見上の特徴量を抽出するとともに、ここで抽出した外見上の特徴量と前記記憶部に記憶している登録者の外見上の特徴量とに基づいて、撮影された者を識別する識別処理を行う制御部と、を備えた個人識別装置であって、
前記制御部は、前記撮影装置の撮影領域を照明で照らして撮影した撮影画像の陰影に基づいて、前記撮影装置が人間を撮影したかどうかを判定する撮影対象判定処理を実行し、この撮影対象判定処理で人間を撮影していないと判定した場合に、前記識別処理を中止する。
また、この発明は、登録者毎に外見上の特徴量を記憶した記憶部と、
撮影装置により撮影した画像を処理して外見上の特徴量を抽出するとともに、ここで抽出した外見上の特徴量と前記記憶部に記憶している登録者の外見上の特徴量とに基づいて、撮影された者を識別する識別処理を行う制御部と、を備えた個人識別装置であって、
前記撮影装置の撮影領域の温度分布を計測する温度計測手段を備え、
前記制御部は、前記温度計測手段により計測された前記撮影領域の温度分布に基づいて、前記撮影装置が人間を撮影したかどうかを判定する撮影対象判定処理を実行し、この撮影対象判定処理で人間を撮影していないと判定した場合に、前記識別処理を中止する個人識別装置。
また、この発明は、登録者毎に外見上の特徴量を記憶した記憶部と、
撮影装置により撮影した画像を処理して外見上の特徴量を抽出するとともに、ここで抽出した外見上の特徴量と前記記憶部に記憶している登録者の外見上の特徴量とに基づいて、撮影された者を識別する識別処理を行う制御部と、を備えた個人識別装置であって、
前記制御部は、前記撮影装置がピントをずらして撮影した撮影画像に基づいて、前記撮影装置が人間を撮影したかどうかを判定する撮影対象判定処理を実行し、この撮影対象判定処理で人間を撮影していないと判定した場合に、前記識別処理を中止する。
【手続補正４】
【補正対象書類名】明細書
【補正対象項目名】０００９
【補正方法】変更
【補正の内容】
【０００９】
この構成では、撮影装置において撮影された画像が人間を撮影したものであるのかどうかを判定し、人間を撮影した画像でなければ識別処理を中止する。すなわち、他人になりすますために、撮影装置に他人の顔写真等を撮影させても、撮影された画像が人間を撮影した画像でないと判定され、処理が中止される。これにより、他人の顔写真等を用いても、他人になりすますことができなくなり、セキュリティを向上させることができる。
また、撮影装置において撮影された画像が人間を撮影したものであるのかどうかの判定は、例えば、撮影装置が適当な時間間隔で撮影した複数の画像を用い、顔部品の動きの有無を検出することで行える。また、撮影装置が適当な時間間隔で撮影した複数の画像から顔の向きの変化の有無を検出することでも行える。さらに、撮影領域の背景を異ならせて撮影した複数の画像を用いて、人間を撮影したかどうかを判定することもできる。また、照明を使用して撮影した撮影画像の陰影や、ピントをずらして撮影した撮影画像等を用いても、この判定が行える。さらに、撮影装置の撮影領域の温度分布の計測により、この判定が行える。
【手続補正５】
【補正対象書類名】明細書
【補正対象項目名】００５３
【補正方法】変更
【補正の内容】
【００５３】
【発明の効果】
以上のように、撮影装置において撮影された画像が人間を撮影したものであるのかどうかが判定され、人間を撮影した画像でなければ処理を中止するようにした。これにより、他人になりすますために、撮影装置に他人の顔写真を撮影させても、撮影された画像が人間を撮影した画像でないと判定して、処理を中止するので、他人の顔写真等を用いても他人になりすますことができなくなり、セキュリティを向上できる。